(57)【特許請求の範囲】
【請求項１】
発泡ポリスチレンブロックからなる軽量盛土と、前記軽量盛土の外側面に沿って立設される側壁体と、を備えた軽量盛土構造であって、
前記側壁体は、基礎上に立設されるリップ溝型鋼で形成された支柱および前記支柱の前記軽量盛土側に取り付けられるリップ溝型鋼で形成された横梁でなる自立可能な支持枠体と、前記支持枠体の前記支柱の外側面に取り付けられる両面金属複合パネルと、が設けられており、
前記両面金属複合パネルは、硬質ポリウレタンフォームからなる芯材と、当該芯材の両面に金属鋼板からなる表面材及び裏面材を備え、
前記表面材は、一端に凸状連結部、他端に凹状連結部を有するとともに、互いを嵌合連結できるようにしてあることを特徴とする軽量盛土構造。
【発明の詳細な説明】
【技術分野】
【０００１】
本発明は、軽量盛土構造に関する。
【背景技術】
【０００２】
道路の拡幅や急傾斜地への道路の建設などを行う場合には、近年、土を盛り上げる盛土に代わり、盛土材として発泡ポリスチレンブロックを積み重ねる工法や現場で硬質ポリウレタンフォームを発泡する軽量盛土工法が提案されている。
【０００３】
この軽量盛土工法では、発泡ポリスチレンブロックや現場発泡の硬質ポリウレタンフォームを紫外線などから保護したり、目隠しや見栄え（外観）のため盛土の外側面に沿って側壁体を設けている。
例えば特許文献１の軽量盛土用側壁では、合成樹脂発泡板を積み重ねた軽量盛土の側面に沿って支柱を配設し、支柱に連結したアンカーピンを合成樹脂発泡板に保持させて立設する。そして、立設した支柱間に壁パネルを差し込んで取り付けたものを側壁とする。
【先行技術文献】
【特許文献】
【０００４】
【特許文献１】特開２０１３−４９９５９号公報
【発明の概要】
【発明が解決しようとする課題】
【０００５】
ところが、支柱間に壁パネルを取り付ける側壁体の場合には、支柱の間隔に合わせて壁パネルの幅が定まり、壁パネルの幅が狭くなったり、支柱で断続し、連続した壁パネルを施工することができず、側壁体の構築に手間がかかり施工性に問題がある。
また、支柱の固定にアンカーピンが用いられ、積み重ねられる合成樹脂発泡板を利用して固定することから、支柱の立設と、積み重ねた合成樹脂発泡板へのアンカーピンの取り付けと、を交互に繰り返す必要があり、側壁体の構築に手間がかかるという問題がある。
また、側壁体には、支柱やアンカーピンなどの専用部品が用いられるため、構築のための準備に時間がかかると共に、コスト高という問題がある。
【０００６】
本発明は、かかる従来技術の問題点に鑑みてなされたもので、専用部品を必要とせずに簡単に支柱などを立設することができ、連続した側壁体を効率よく構築することができる軽量盛土構造を提供することを目的とするものである。
【課題を解決するための手段】
【０００７】
上記目的を達成するため、本発明にかかる軽量盛土構造は、発泡ポリスチレンブロックからなる軽量盛土と、前記軽量盛土の外側面に沿って立設される側壁体と、を備えた軽量盛土構造であって、前記側壁体は、基礎上に立設されるリップ溝型鋼で形成された支柱および前記支柱の前記軽量盛土側に取り付けられるリップ溝型鋼で形成された横梁でなる自立可能な支持枠体と、前記支持枠体の前記支柱の外側面に取り付けられる両面金属複合パネルと、が設けられている、ことを特徴とする。
【発明の効果】
【０００８】
本発明の軽量盛土構造によれば、専用部品を必要とせずに簡単に支柱などを立設することができ、連続した側壁体を効率よく構築することができる。
【図面の簡単な説明】
【０００９】
【図１】本発明の軽量盛土構造の一実施の形態にかかる側壁体部分の平面図である。
【図２】本発明の軽量盛土構造の一実施の形態にかかる図１中のＡ−Ａ断面の下端部の断面図である。
【図３】本発明の軽量盛土構造の一実施の形態にかかる図１中のＡ−Ａ断面の上端部の断面図である。
【図４】本発明の軽量盛土構造の一実施の形態にかかる概略断面図である。
【図５】本発明の軽量盛土構造の一実施の形態にかかる概略構造を説明する部分斜視図である。
【図６】本発明の軽量盛土構造の一実施の形態にかかる工程説明図である。
【図７】本発明の軽量盛土構造の軽量盛土の両側に側壁体を構築した場合の概略断面図である。
【発明を実施するための形態】
【００１０】
以下、本発明の軽量盛土構造の一実施の形態について図面に基づき詳細に説明する。
本発明の軽量盛土構造１０は、軽量盛土２０となる発泡ポリスチレンブロックと、軽量盛土２０の外側面に沿って立設される側壁体３０と、を備えている。
側壁体３０は、例えば地山１の谷側に道路を拡幅する場合に、地山１の法面（傾斜面）と、これに続く地盤２上に設けた基礎３１上に立設される。
これにより、軽量盛土構造１０では、側壁体３０が軽量盛土２０の外側面に沿って基礎３１上に立設されて自立した状態となっている。また、側壁体３０によって、軽量盛土２０の外側が覆われ、紫外線などからの保護と、目隠しとして外観の見栄えを良くするようになっている。
【００１１】
側壁体３０は、基礎３１上に立設されるリップ溝型鋼の支柱３２および支柱３２の軽量盛土２０側に取り付けられるリップ溝型鋼の横梁３３で自立可能に形成される支持枠体３４と、支持枠体３４の支柱３２の外側面に取り付けられる両面金属複合パネル３５と、で構成される。この側壁体３０は、従来の重量構造物に対する大掛かりな基礎とこれに立設されるＨ型鋼などの強固な支柱と、これら支柱に設置される押出成形セメント板やＰＣ板などの壁面材に比べ、比較的簡易で軽量な構造となっている。
【００１２】
支持枠体３４と両面金属複合パネル３５による側壁体３０は、軽量盛土２０と同じ高さと幅に構築される。
支持枠体３４は、リップ溝型鋼を用いた支柱３２が、一定の間隔で基礎３１上に立設され、例えば６５０ｍｍ程度の間隔とされる。支柱３２の内側（軽量盛土２０側）にリップ溝型鋼を用いた横梁３３が各支柱３２を連結するように横方向（左右方向）に配置され、上下方向に一定の間隔で固定され、例えば横梁３３の上下方向の間隔が１５００ｍｍ程度とされる。
支持枠体３４は、支柱３２と、横梁３３とを連結して格子状に枠組されることで、簡易な軽構造でありながら自立性を有している。
【００１３】
両面金属複合パネル３５は、例えば、図５中の拡大部分に示すように、ガルバリウム鋼板に代表される厚さ約０．１〜０．５ｍｍの金属鋼板を表面材３５ａとし、フォーミングにより一端に凸状連結部３５ｂを形成するとともに、他端に凹状連結部３５ｃを形成して互いを嵌合連結できるようにしてある。さらに、表面材３５ａは、中間に必要に応じて形成される意匠とともに、樋状に成形される。表面材３５ａには、反転状態の樋状の部分に芯材３５ｄとなる発泡性液状硬質ウレタン材料が注入される。芯材３５ｄ上には、フォーミングした裏面の金属鋼板の裏面材３５ｅと、発泡する芯材３５ｄの形状を保持する紙などの押え材とを発泡と同時に貼り合せることにより両面金属複合パネル３５が構成される。
このように構成された両面金属複合パネル３５は、総厚さが１０〜５０ｍｍとされ、硬質ウレタンフォームを芯材３５ｄとし、表裏両面が金属鋼板３５ａ、３５ｅの複合パネルとなる。なお、表裏面材３５ａ，３５ｅと芯材３５ｄの材質は、上記のものに限定するものではない。
両面金属複合パネル３５は、支持枠体３４の外側、すなわち軽量盛土２０側とは反対側の支柱３２の表面にビスなどで取り付けられ、凸状連結部３５ｂと凹状連結部３５ｃを互いに嵌合連結して所定の高さまで構築される。
両面金属複合パネル３５は、支柱３２の外側に取り付けられることから、従来の支柱間に挿し込む壁面材のように、その横幅が支柱３２間の距離に制約されることがない。両面金属複合パネル３５は、例えば横幅が４０００ｍｍ程度とされ、高さが４００ｍｍ程度のものが使用されるが、これら寸法に限定するものではない。
【００１４】
両面金属複合パネル３５は、上下方向は、凸状連結部３５ｂと凹状連結部３５ｃを互いに嵌合連結して水密状態で連結されるが、幅方向の連結部は、表裏面材３５ａ，３５ｅと芯材３５ｄとが露出した状態となることから、図示省略したが、横断面形状がコ字状の側面連結部材で覆い、背中合わせの側面連結部材同士をクリップで固定するようにする。必要に応じて側面連結部材に変性シリコンシーリング材などのシール材が介装される。
また、側壁体３０の最上端部は、コ字状もしくはＬ字状に曲げられた上端プレートが取り付けられる。側壁体３０の最側端部にもＬ字状に曲げられた側面プレートが取り付けられている。
これら側面連結部材や上端プレートおよび側面プレートにより、両面金属複合パネルの芯材３５ｄが露出しないようにしている。
【００１５】
このような軽量盛土構造１０では、支持枠体３４と両面金属複合パネル３５による側壁体３０は、比較的簡易で軽量な構造となるが、自立性を備えるとともに、必要な強度を確保することができる。
【００１６】
また、軽量盛土構造１０では、必要に応じて、地山１の法面の外側を拡幅する場合には、図４に示すように、支柱３２もしくは横梁３３に上下方向に移動可能となるように連結した振れ止めアンカー３が設置され、該振れ止めアンカーはコンクリート床版４に接続される。
【００１７】
次に、軽量盛土構造１０の施工方法について、簡単に説明する。
Ａ  側壁体３０の構築
１）地盤２に設置したコンクリートの基礎３１上にリップ溝型鋼の支柱３２を、例えば６５０ｍｍの間隔で必要な長さに渡って設置する。
２）次に、リップ溝型鋼の支柱３２を横に連結するようにリップ溝型鋼の横梁３３を、例えば上下に１５００ｍｍの間隔で側壁体３０の必要な高さまで取り付ける。
これにより、支持枠体３４が支柱３２と横梁３３で格子状に組み立てられて基礎３１上に立設した状態となる。
また、地山１の法面の外側を拡幅する場合には、支柱３２または横梁３３のコンクリート床版４が配置される高さに上下方向に移動可能となるように振れ止めアンカー３を連結し、該振れ止めアンカー３は後述するように最終的にコンクリート床版４に接続する。なお、この振れ止めアンカー３を連結する作業は、発泡ポリスチレンブロックを所定高さに設置後、連結してもよい。
３）次に、支持枠体３４の外側である支柱３２の表面に、両面金属複合パネル３５をビスなどで取り付ける。
両面金属複合パネル３５は、上下方向には、凸状連結部３５ｂと凹状連結部３５ｃとを嵌合して連結するとともに、幅方向（横方向）の連結部は、図示しない側面連結部材とクリップで接続する。また、側壁体３０では、最側端部に側面プレートを取り付け、上端部に上端プレートを取り付けることで、両面金属複合パネル３５の芯材３５ｄが露出しない状態で覆うようにしておく。
なお、両面金属複合パネル３５の連結部などに形成される隙間には、水密性を確保するため、例えば変性シリコンシーリング材などのシール材でコーキング処理を行う。
こうして軽量盛土構造１０の側壁体３０の構築が完成する。
【００１８】
Ｂ  軽量盛土２０の構築
１）支持枠体３４の内側（軽量盛土２０側）に、図６に示すように、発泡ポリスチレンブロックを設置していき、振れ止めアンカー３が支柱３２または横梁３３に連結された部位にコンクリート床版４を打設する。
さらに、このように施工された軽量盛土２０には、図示省略したが、これまでと同様に、路盤、表層などが形成されて道路の拡幅が完成する。
【００１９】
このような軽量盛土構造１０によれば、専用部品を必要とせずに簡単にリップ溝型鋼の支柱３２とリップ溝型鋼の横梁３３を組み合わせて支持枠体３４を自立性を持たせて立設することができ、支持枠体３４に両面金属複合パネル３５を取り付けることで連続した側壁体３０を効率よく構築でき、側壁体３０の内側に軽量盛土２０を構築することができる。
【００２０】
以上、実施の形態とともに、説明したように、軽量盛土構造１０によれば、発泡ポリスチレンブロックからなる軽量盛土２０と、軽量盛土２０の外側面に沿って立設される側壁体３０と、を備えた軽量盛土構造１０であって、側壁体３０は、基礎３１上に立設されるリップ溝型鋼で形成された支柱３２および支柱３２の軽量盛土２０側に取り付けられるリップ溝型鋼で形成された横梁３３でなる自立可能な支持枠体３４と、支持枠体３４の支柱３２の外側面に取り付けられる両面金属複合パネル３５と、が設けてあるので、専用部品などを必要とせず、リップ溝型鋼の支柱３２と横梁３３とで自立する支持枠体３４を構築することができ、支持枠体３４に両面金属複合パネル３５を取り付けることで、側壁体３０を短時間に構築することができる。  
また、リップ溝型鋼の支柱３２の間隔とは、関係なく両面金属複合パネル３５の長さを設定することができ、両面金属複合パネル３５を連続して取り付けることで、短時間に効率よく施工することができる。
【００２１】
また、これら軽量盛土構造１０によれば、側壁体３０をリップ溝型鋼の支柱３２や横梁３３、両面金属複合パネル３５を用いて構築することができ、重機などを用いることなく、簡単に施工することができる。
【００２２】
なお、上記実施の形態では、軽量盛土２０の一方側のみに支柱、横梁および両面金属複合パネル３５で構築される側壁体３０を設ける場合で説明したが、これに限らず、例えば図７に示すように軽量盛土２０の両側や３方などに側壁体３０を構築する場合にも同様に適用することができる。
【符号の説明】
【００２３】
１      地山
２      地盤
３      振れ止めアンカー
４      コンクリート床板
１０    軽量盛土構造
２０    軽量盛土（発泡ポリスチレンブロック）
３０    側壁体
３１    基礎
３２    支柱（リップ溝型鋼）
３３    横梁（リップ溝型鋼）
３４    支持枠体
３５    両面金属複合パネル
３５ａ  表面材
３５ｂ  凸状連結部
３５ｃ  凹状連結部
３５ｄ  芯材
３５ｅ  裏面材
【図１】
0006803135.tif 000002
【図２】
0006803135.tif 000003
【図３】
0006803135.tif 000004
【図４】
0006803135.tif 000005
【図５】
0006803135.tif 000006
【図６】
0006803135.tif 000007
【図７】
0006803135.tif 000008